(57)【特許請求の範囲】
【請求項１】
画形材によって像担持体上に像を形成する像形成部と、
当該像形成部へ供給する前記画形材を溜めておくための貯蔵部と、
当該貯蔵部から前記像形成部に対して前記画形材を供給する第１の供給手段と、
当該第１の供給手段を駆動するための第１の駆動手段と、
前記画形材をその内部に収容し、印刷装置に対して装着及び取出し可能に設けられた画形材収容手段と、
当該画形材収容手段と共に前記印刷装置に対して装着及び取出し可能に設けられ、且つ、当該画形材収容手段に収容された画形材を前記貯蔵部に供給する第２の供給手段と、
当該第２の供給手段を駆動するための第２の駆動手段と、
前記画形材収容手段を装着及び取出すために開閉可能に設けられた第１の扉と、
当該第１の扉の開閉を検知する第１の検知手段と、を有し、
前記第１の検知手段によって前記第１の扉が開放されていることが検知されている場合に、前記第１の駆動手段及び前記像形成部は動作可能状態とし、前記第２の駆動手段は停止状態にするように制御する印刷装置。
【請求項２】
前記第１の検知手段によって前記第１の扉が開放されていることが検知されている場合に、前記貯蔵部に溜めてある画形材が所定量を下回っていると判断されると、前記像形成部を停止状態にするように制御する、請求項１に記載の印刷装置。
【請求項３】
前記第１の検知手段によって前記第１の扉が開放されていることが検知され所定の時間が経過するまでの間に、前記第１の検知手段によって前記第１の扉が閉じられたことが検知されない場合には前記像形成部を停止状態にするように制御する、請求項１に記載の印刷装置。
【請求項４】
前記像形成部を装着及び取出すために開閉可能に設けられた第２の扉と、当該第２の扉の開閉を検知する第２の検知手段と、を更に有し、
前記第２の検知手段によって前記第２の扉が開放されていることが検知されている場合に、前記第１の駆動手段、前記第２の駆動手段、及び、前記像形成部を停止状態にするように制御する、請求項１から３のいずれか１項に記載の印刷装置。
【発明の詳細な説明】
【０００１】
【発明の属する技術分野】
本発明は、静電潜像担持体上に形成された静電潜像にトナーを含む現像剤を供給して印刷像を形成させる現像部を備える印刷装置に関するものである。
【０００２】
【従来の技術】
従来の印刷装置は、静電潜像担持体上に形成された静電潜像にトナーを含む現像材を供給して印刷像を形成させる現像部に補給するトナーを溜めておくためのトナー室と、そのトナー室へ更にトナーを補給するトナーを溜めておくトナーカートリッジとを備えており、トナーカートリッジからトナー室へ、トナー室から現像部へとトナーを補給するトナー補給手段をそれぞれ備えていた。このような印刷装置においてトナーカートリッジを交換する場合には、各トナー補給手段を停止してから交換していた。
【０００３】
【発明が解決しようとする課題】
トナーカートリッジを交換する際に各トナー補給手段を停止させると、現像部の印刷像の形成も停止させることとなる。すなわち印刷装置全体を停止させることとなり、生産性を悪くすることにつながっていた。また、このように印刷像の形成を停止してトナーカートリッジを交換し印刷像の形成を再開させると、特にシアン、イエロー、マゼンタといった複数色のトナーカートリッジを用いるような印刷装置の場合には印刷物の色見が微妙に異なってくる場合がある。
【０００４】
そこで本発明は、現像部の印刷像の形成を停止させることを極力回避しつつトナーカートリッジの交換が可能である印刷装置を提供することを課題とする。
【０００５】
【課題を解決するための手段】
本発明の印刷装置は、画形材によって像担持体上に像を形成する像形成部と、当該像形成部へ供給する画形材を溜めておくための貯蔵部と、当該貯蔵部から像形成部に対して画形材を供給する第１の供給手段と、当該第１の供給手段を駆動するための第１の駆動手段と、画形材をその内部に収容し、印刷装置に対して装着及び取出し可能に設けられた画形材収容手段と、当該画形材収容手段と共に印刷装置に対して装着及び取出し可能に設けられ、且つ、当該画形材収容手段に収容された画形材を貯蔵部に供給する第２の供給手段と、当該第２の供給手段を駆動するための第２の駆動手段と、画形材収容手段を装着及び取出すために開閉可能に設けられた第１の扉と、当該第１の扉の開閉を検知する第１の検知手段と、を有し、第１の検知手段によって第１の扉が開放されていることが検知されている場合に、第１の駆動手段及び像形成部は動作可能状態とし、第２の駆動手段は停止状態にするように制御する。
【０００６】
本発明によれば、画形材収容手段を取出すための第１の扉が開いたことに基づいて第２の駆動手段を停止状態にするように制御するので、第２の供給手段の駆動が停止され、画形材収容手段を取出せる。また、第１の駆動手段及び像形成部を動作可能状態に制御するので、像形成部は像の形成を継続できる。
【０００７】
また本発明の印刷装置は、第１の検知手段によって第１の扉が開放されていることが検知されている場合に、貯蔵部に溜めてある画形材が所定量を下回っていると判断されると、像形成部を停止状態にするように制御するようにしてもよい。画形材収容手段から貯蔵部への画形材の供給が停止している間に像の形成が継続し、貯蔵部の画形材が所定量を下回ったままの状態になることを避けることができるので、像の劣化を防止できる。
【０００８】
また本発明の印刷装置は、第１の検知手段によって第１の扉が開放されていることが検知され所定の時間が経過するまでの間に、第１の検知手段によって第１の扉が閉じられたことが検知されない場合には像形成部を停止状態にするように制御するようにしてもよい。第１の扉が開放されたままで画形材収容手段から貯蔵部へ画形材の供給が停止している間に像の形成が継続し、貯蔵部の画形材が所定量を下回ったままの状態になることを避けることができるので、像の劣化を防止できる。
【０００９】
また本発明の印刷装置は、像形成部を装着及び取出すために開閉可能に設けられた第２の扉と、当該第２の扉の開閉を検知する第２の検知手段と、を更に有し、第２の検知手段によって第２の扉が開放されていることが検知されている場合に、第１の駆動手段、第２の駆動手段、及び、像形成部を停止状態にするように制御するようにしてもよい。例えば、像形成部をメンテナンスする際に、第２の扉を開くと像形成部を停止状態にするので、安全性の確保が可能となる。
【００１０】
【発明の実施の形態】
本発明の実施の形態を図面を参照しながら説明する。可能な場合には、同一の部分には同一の符号を付して重複する説明を省略する。本発明の実施形態である印刷装置１０について、印刷装置１０の構成を示した図１を用いて説明する。印刷装置１０は、コピーガラス（図示しない）上に載置された原稿の画像を読み取って画像信号に変換する原稿読取部２０と、この原稿読取部２０からの画像信号に基づいて用紙上に定着させるための可視像を形成する画像形成部４０と、この画像形成部４０に対して用紙を供給する給紙部３０と、この画像形成部４０で形成された可視像を用紙上に定着する画像定着部５０とを備えて構成される。
【００１１】
原稿読取部２０は、ハロゲンランプ等の光源（図示しない）により照明された固定原稿の反射光をレンズ（図示しない）を介して受光するＣＣＤ等のイメージセンサ（図示しない）と、このイメージセンサ（図示しない）で得られた情報に所定の画像処理を施す画像処理プロセッサ部（図示しない）と、から構成される。
【００１２】
給紙部３０は、複数の給紙トレイ３０１〜３０３を備える。給紙トレイ３０１〜３０３は、用紙をサイズ別または種別に積層収容するもので、上下に並べて着脱可能に装着される。そして、これらのうちの何れかの給紙トレイ３０１〜３０３から用紙が送り出される。このように送り出された用紙は、ピックアップロールやレジストロールといった搬送手段（図示しない）を介して画像形成部４０に送られる。
【００１３】
画像定着部５０は、画像形成部４０によって形成された、用紙上に定着させるための可視像が転写された用紙に加熱等の所定の処理を加えてその可視像を用紙上に定着させ、その可視像が定着された用紙を排出する部分である。
【００１４】
画像形成部４０は、シアン（Ｃ）、マゼンタ（Ｍ）、イエロー（Ｙ）、ブラック（Ｋ）の４色にそれぞれ対応した感光体ドラム（像担持体）４０１ａ〜４０１ｄと、それらの感光体ドラム４０１ａ〜４０１ｄのそれぞれに画像形成のためのトナー（画形材）を供給するトナーカートリッジ（画形材供給手段）４０２ａ〜４０２ｄと、それらのトナーカートリッジ４０２ａ〜４０２ｄを収容するためのカートリッジ収容部４０３とを含んで構成される。画像形成部４０については、シアン（Ｃ）、マゼンタ（Ｍ）、イエロー（Ｙ）、ブラック（Ｋ）の４色に対応したそれぞれの部分はほぼ同様の構成であるので、シアン（Ｃ）に対応した部分を例にとって説明する。
【００１５】
画像形成部４０のシアン（Ｃ）に対応した部分について図２を用いて説明する。図２は、感光体ドラム４０１ａとトナーカートリッジ４０２ａとを含む部分を拡大して示した図である。画像形成部４０は、上記画像処理プロセッサ部（図示しない）からの画像信号で変調されたレーザビームを出射するレーザ露光部４０４と、帯電トロコロン等の帯電部４０５と、この帯電部４０５により帯電されると共に、上記レーザ露光部４０４からのレーザビームを受光することで露光される感光体ドラム４０１ａと、トナーを含む現像剤を一時的に収容して供給するリザーブタンク（貯蔵部）４０７と、このリザーブタンク４０７から補給路４０８を介して補給されるトナーを感光体ドラム４０１ａに供給し転移することで、上記露光により感光体ドラム４０１ａ上に形成された静電潜像をカラー画像として可視化すなわち現像するロータリー現像部（像形成部）４０６と、を備える。
【００１６】
この画像形成部４０はさらに、上記感光体ドラム４０１ａ上に現像された画像が転写される中間転写ベルト６０と、この中間転写ベルト６０に転写された画像を、上記搬送手段（図示しない）により用紙姿勢と搬送タイミングが整合されて中間転写ベルト６０との間に送り込まれる用紙に転写する転写ロール等より成る転写装置（図示しない）と、を備える。
【００１７】
画像形成部４０はまた、リザーブタンク４０７から補給路４０８を介してロータリー現像部４０６へトナーを補給するためのトナー補給機構（第１の供給手段）４０９と、リザーブタンク４０７へ補給するトナーを溜めておくためのトナーカートリッジ４０２ａと、トナーカートリッジ４０２ａからリザーブタンク４０７へトナーを補給するためのトナー補給機構（第２の供給手段）４１０と、を備える。
【００１８】
画像形成部４０の、トナーカートリッジ４０２ａ及びリザーブタンク４０７に関する部分は、図２の矢印Ｉ方向から見た様子を図３に示し、図３を用いて更に説明する。リザーブタンク４０７内にはスクリューシャフトを備えて構成されるトナー補給機構４０９と、リザーブタンク４０７内のトナーの量を検知するトナーセンサ４１２とが設けられている。トナー補給機構４０９はリザーブタンクモータ（第１の駆動手段）４１５と接続されており、リザーブタンクモータ４１５が回転することによってトナー補給機構４０９も回転し、補給路４０８に対してトナーを送り出すことができる。
【００１９】
リザーブタンクモータ４１５はまた、制御装置４１６に接続されており、その制御装置４１６からの制御信号によって回転を制御することが可能となっている。例えば、ロータリー現像部４０６から制御装置４１６に対して印刷像の形成を開始した旨の信号が入力されれば、制御装置４１６からリザーブタンクモータ４１５に対して回転するように指示する制御信号が送信され、リザーブタンクモータ４１５はその制御信号に応じて回転することでトナー補給機構４０９を回転させて、ロータリー現像部４０６に対してトナーを供給する。
【００２０】
リザーブタンク４０７内に設けられているトナーセンサ４１２は、リザーブタンク４０７内にあるトナーが、トナーセンサ４１２が設けられている位置まであるかどうかを感知するセンサである。トナーセンサ４１２は、制御装置４１６と接続されており、リザーブタンク４０７内にあるトナーがトナーセンサ４１２が設けられている位置まであるかどうかといった信号を送信する。
【００２１】
リザーブタンク４０７には、補給路４１１を介してトナーカートリッジ４０２ａが接続されている。トナーカートリッジ４０２ａ内には、スクリューシャフトを備えて構成されるトナー補給機構４１０が設けられており、このトナー補給機構４１０を回転させると、トナーカートリッジ４０２ａ内部にあるトナーを補給路４１１に送り出し、リザーブタンク４０７にトナーを補給することができるように構成されている。
【００２２】
トナー補給機構４１０の端部にはカプラ４１３ａが取り付けられていて、カプラ４１３ａはカプラ４１３ｂと連動して回転するように構成されている。カプラ４１３ａ及びカプラ４１３ｂは、互いにかみ合うように爪が突出しており、それぞれの爪がかみ合っているときは連動して回転することが可能であり、それぞれの爪がかみ合っているのを外すことで着脱が可能なように構成されている。カプラ４１３ｂにはトナーカートリッジモータ（第２の駆動手段）４１４が接続されており、このトナーカートリッジモータ４１４が回転することによってカプラ４１３ｂ及びカプラ４１３ａが回転し、更にトナー補給機構４１０も回転することで補給路４１１に対してトナーを送り出すことができる。
【００２３】
トナーカートリッジモータ４１４はまた、制御装置４１６に接続されており、その制御装置４１６からの制御信号によって回転を制御することが可能となっている。例えば、リザーブタンク４０７内に設けられているトナーセンサ４１２から制御装置４１６に対して、リザーブタンク４０７内のトナーがトナーセンサ４１２が設けられている位置までないことを示す信号が入力され、制御装置４１６がリザーブタンク４０７内のトナーが少なくなっていると判断すれば、制御装置４１６からトナーカートリッジモータ４１４に対して回転するように指示する制御信号が送信される。トナーカートリッジモータ４１４はその制御信号に応じて回転することでトナー補給機構４１０を回転させて、リザーブタンク４０７に対してトナーを供給する。
【００２４】
トナーカートリッジ４０２ａは、カートリッジ収容部４０３内に収容されており、カートリッジ収容部４０３には扉（第１の扉）４０３ａが設けられていて、その扉４０３ａを開くとトナーカートリッジ４０２ａが取り出せるように構成されている。カートリッジ収容部４０３内には、扉４０３ａの開閉を検知するための検知部（第１の検知手段）４０３ｂが設けられている。検知部４０３ｂは、制御装置４１６と接続されており、扉４０３ａが閉じられているか、若しくは開かれているかということを示す信号を送信する。
【００２５】
ここで、トナーカートリッジモータ４１４及びトナー補給機構４１０が回転して、トナーカートリッジ４０２ａからトナーを補給している場合に、カートリッジ収容部４０３の扉４０３ａを開くと、検知部４０３ｂが扉４０３ａを開いたことを検知し、制御装置４１６にその旨を示す信号を送信する。制御装置４１６は、トナーカートリッジモータ４１４に対して回転を止めるための制御信号を送信し、トナーカートリッジモータ４１４はその制御信号に応じて回転を止めるので、トナー補給機構４１０の回転も停止する。従って、例えばトナーカートリッジ４０２ａを交換しようとして扉４０３ａを開くと、トナーカートリッジモータ４１４及びトナー補給機構４１０の回転が停止して、トナーカートリッジ４０２ａをカプラ４１３ａの部分から外して交換することができる。
【００２６】
また、ロータリー現像部４０６及び感光体ドラム４０１ａ〜４０１ｄといった部分を覆うように扉（第２の扉）６０が設けられていて、その扉６０を開くとロータリー現像部４０６及び感光体ドラム４０１ａ〜４０１ｄといった部分のメンテナンスをすることができるように構成されている。更に、扉６０の開閉を検知するための検知部（第２の検知手段）６０ａが設けられている。検知部６０ａは、制御装置４１６と接続されており、扉６０が閉じられているか、若しくは開かれているかということを示す信号を送信する。
【００２７】
ここで、ロータリー現像部４０６が稼動して静電潜像を可視化し、リザーブタンクモータ４１５が稼動して、リザーブタンク４０７内にあるトナーをロータリー現像部４０６に対して補給するといった一連の印刷動作を継続している場合に扉６０を開くと、検知部６０ａが扉６０を開いたことを検知し、制御装置４１６にその旨を示す信号を送信する。制御装置４１６は、ロータリー現像部４０６に動作を停止させるための信号を送信し、リザーブタンクモータ４１５に対してもその回転を止めるための制御信号を送信するというように、印刷動作中の各部分を停止させるように制御する。従って、例えばロータリー現像部４０６及び感光体ドラム４０１ａ〜４０１ｄといった部分をメンテナンスしようとして扉６０を開くと、ロータリー現像部４０６といった各部分の動作が停止するので、より一層の安全性が確保された作業が可能となる。
【００２８】
引き続いて、印刷装置１０を稼動させて印刷動作をしている途中にトナーカートリッジ４０２ａを交換する際の印刷装置１０の動作について図４を用いて説明する。図４は、トナーカートリッジ４０２ａを交換する際の印刷装置１０の動作について示したフローチャートである。
【００２９】
印刷装置１０の原稿読取部２０に原稿を置くなどして印刷スタートスイッチ（図示しない）を押すと、印刷装置１０の各部は印刷動作を開始する（ステップＳ０１）。印刷動作が開始されると、画像形成部４０のレーザ露光部４０４及び帯電部４０５は上記説明したような動作をして感光体ドラム４０１ａ上に静電潜像を形成する。この感光体ドラム４０１ａ上に形成された静電潜像に対してロータリー現像部４０６が稼動してトナーを転移させ静電潜像を可視化させる。また、ロータリー現像部４０６が稼動している場合には、制御装置４１６を介してリザーブタンクモータ４１５に対して信号が送られ、リザーブタンクモータ４１５が稼動して、リザーブタンク４０７内にあるトナーをロータリー現像部４０６に対して補給する（ステップＳ０２）。
【００３０】
このように一連の印刷動作が行われている間、リザーブタンク４０７内にあるトナーセンサ４１２は、制御装置４１６に対してリザーブタンク４０７内のトナーの量が所定量あるかどうかといった信号を送信する。制御装置４１６が、トナーセンサ４１２からの信号に基づいて、リザーブタンク４０７内にあるトナーの量が所定量以下ではないと判断する場合にはそのままの状態で印刷動作を継続する。一方、制御装置４１６が、トナーセンサ４１２からの信号に基づいて、リザーブタンク４０７内にあるトナーの量が所定量以下であると判断する場合には、トナーカートリッジモータ４１４に対して回転するように指示する制御信号を送信する（ステップＳ０３）。
【００３１】
トナーカートリッジモータ４１４が回転すると、カプラ４１３ｂ及びカプラ４１３ａを介してトナー補給機構４１０が回転してリザーブタンク４０７に対してトナーを補給する（ステップＳ０４）。制御装置４１６は、トナーセンサ４１２からの信号に基づいて、リザーブタンク４０７内にトナーが十分補給されたと判断した場合には、トナーカートリッジモータ４１４に対して回転を停止させる制御信号を送信する。
【００３２】
ステップＳ０４で、トナーカートリッジモータ４１４が回転している場合に、トナーカートリッジ４０２ａ内にトナーが無くなっているなどした場合には、トナーセンサ４１２からリザーブタンク４０７内のトナーがトナーセンサ４１２の位置まで達したという信号が制御装置４１６に送られないこととなる。制御装置４１６は、このような場合にはトナーセンサ４１２からの信号に基づいてトナーカートリッジ４０２ａ内のトナーが所定量以下になっていると判断する（ステップＳ０５）。
【００３３】
制御装置４１６がトナーカートリッジ４０２ａ内のトナーが所定量以下になっていると判断すると、制御装置４１６は表示部（図示しない）に「トナーが残り少なくなっています。トナーカートリッジ４０２ａを交換して下さい。」といった、トナーカートリッジ４０２ａ内のトナーが無くなる旨の警告を表示させる（ステップＳ０６）。印刷装置１０を使用しているユーザは、このような警告を見てトナーカートリッジ４０２ａの交換を行なう時期であることが分かるので、トナーカートリッジ４０２ａを交換するために、カートリッジ収容部４０３の扉４０３ａを開く。
【００３４】
制御装置４１６はステップＳ０６の後、カートリッジ収容部４０３の検知部４０３ｂから扉４０３ａが開かれたかどうかの信号を受信する待ち受け状態にある（ステップＳ０７）。制御装置４１６は、検知部４０３ｂから扉４０３ａが開かれたという信号を受信すると、トナーカートリッジモータ４１４に対して回転を停止させるための制御信号を送信し、トナーカートリッジモータ４１４は回転を停止する（ステップＳ０８）。このようにトナーカートリッジモータ４１４が回転を停止すると、トナー補給機構４１０も回転を停止するので、ユーザは安全にトナーカートリッジ４０２ａを交換することができる。
【００３５】
制御装置４１６はステップＳ０８の後、扉４０３が開放された場合においても、現像部４０６をはじめとする印刷装置１０の各部に印刷が通常どおりに行われるように制御を行う。その一方で、制御装置４１６は、カートリッジ収容部４０３の検知部４０３ｂから扉４０３ａが閉じられたかどうかの信号を受信する待ち受け状態にある（ステップＳ０９）。制御装置４１６は、検知部４０３ｂから扉４０３ａが閉じられたという信号を受信すると、ステップＳ１０で用いられるタイマーを停止し、そのまま印刷動作を継続する制御を行なう（ステップＳ１３）。
【００３６】
制御装置４１６は、検知部４０３ｂから扉４０３ａが閉じられたという信号を受信せず、予め定められた所定の時間を経過すると、印刷装置１０の各部に対して印刷動作を停止させる制御を行なう（ステップＳ１２）。制御装置４１６がこのような制御を行なうのは、トナーカートリッジ４０２ａからリザーブタンク４０７に対してトナーの補給が無いままに印刷動作を継続し続けると、リザーブタンク４０７内のトナーが無くなってしまい、印刷物の画像品質が保たれなくなるためである。ここでの所定の時間は、リザーブタンク４０７の容量等に基づいて適宜定めることができる。
【００３７】
また制御装置４１６は、ステップＳ１０において予め定められた所定の時間が経過してない場合であっても、トナーセンサ４１２からの信号に基づいてリザーブタンク内のトナーが無くなったと判断できる場合には同様に印刷動作を停止させる（ステップＳ１１、ステップＳ１２）。制御装置４１６がこのような制御を行なうのは、何らかの理由でリザーブタンク４０７内のトナーが予め想定されている時間よりも早く無くなってしまうことも想定されるからであり、そのままの状態で印刷動作を継続し続けると、リザーブタンク４０７内のトナーが無くなってしまい、印刷物の画像品質が保たれなくなるためである。
【００３８】
本発明の実施形態の作用及び効果について説明する。ロータリー現像部４０６が印刷像を形成している際に、トナーカートリッジ収容部４０３の扉４０３ａが開いたことに基づいてトナーカートリッジモータ４１４を停止させるので、トナーカートリッジ４０２ａ内に設けられたトナー補給機構４１０の駆動力が遮断され、ユーザは安全にトナーカートリッジ４０２ａを交換できる。また、トナーカートリッジモータ４１４のみを停止させるので、リザーブタンクモータ４１５は駆動を継続し、トナー補給機構４０９がロータリー現像部４０６にトナーを補給するので、ロータリー現像部４０６は印刷像の形成を継続できる。
【００３９】
制御装置４１６が図４のステップＳ１１で説明したような制御を行なうと、トナーカートリッジ４０２ａからリザーブタンク４０７へのトナーの補給が停止している間に印刷像の形成が継続し、リザーブタンク４０７のトナーが所定量を下回ったままの状態になることを避けることができるので、ロータリー現像部４０６が形成する印刷像の劣化を防止できる。
【００４０】
制御装置４１６が図４のステップＳ１０で説明したような制御を行なうと、カートリッジ収容部４０３の扉４０３ａが開けられたままでトナーカートリッジ４０２ａからリザーブタンク４０７へのトナーの補給が停止している間に印刷像の形成が継続し、リザーブタンク４０７のトナーが所定量を下回ったままの状態になることを避けることができるので、ロータリー現像部４０６が形成する印刷像の劣化を防止できる。検知部６０ａによって扉６０が開放されていることが検知されている場合に、ロータリー現像部４０６といった印刷装置１０の各部を停止状態にするように制御すると、ロータリー現像部４０６といった部分をメンテナンスする際に、より一層の安全性の確保が可能となる。なお、上記実施形態では、印刷装置の例として複写機を挙げて説明したが、本件発明は、プリンタや、ファクシミリ機能を併せ持つ複合機などにも適用されるものである。
【００４１】
【発明の効果】
本発明によれば、画形材収容手段を取出すための第１の扉が開いたことに基づいて第２の駆動手段を停止状態にするように制御するので、第２の供給手段の駆動が停止され、画形材収容手段を取出せる。また、第１の駆動手段及び像形成部を動作可能状態に制御するので、像形成部は像の形成を継続できる。従って、本発明の目的とする、現像部の印刷像の形成を停止させることを極力回避しつつトナーカートリッジの交換が可能である印刷装置を提供することができた。
【図面の簡単な説明】
【図１】本発明の実施形態である印刷装置を示した図である。
【図２】図１の画像形成部を示した図である。
【図３】図２のトナーカートリッジ及びリザーブタンクの周辺について示した図である。
【図４】図１の印刷装置を制御する手順を示したフローチャートである。
【符号の説明】
１０…印刷装置、４０２ａ…トナーカートリッジ、４０３…カートリッジ収容部、４０３ａ…扉、４０３ｂ…検知部、４０６…ロータリー現像部、４０７…リザーブタンク、４０８、４１１…補給路、４０９、４１０…トナー補給機構、４１２…トナーセンサ、４１３ａ、４１３ｂ…カプラ、４１４…トナーカートリッジモータ、４１５…リザーブタンクモータ、４１６…制御装置。
【図１】
0003969045.tif 000002
【図２】
0003969045.tif 000003
【図３】
0003969045.tif 000004
【図４】
0003969045.tif 000005